【手続補正書】
【提出日】平成26年5月22日(2014.5.22)
【手続補正１】
【補正対象書類名】特許請求の範囲
【補正対象項目名】全文
【補正方法】変更
【補正の内容】
【特許請求の範囲】
【請求項１】
(a1)  ビーム形成送信を使用して無線通信環境の性能を向上させる方法であって、
(a2)  第１のパイロットを生成することと、
(a3)  前記第１のパイロットを送信することと、
(a4)  前記第１のパイロットに少なくとも部分的に基づいて第１のチャンネル品質インジケータ（ＣＱＩ）を受信することと、
（ａ5）  前記第１のＣＱＩに基づいて、第１のユーザデバイスを第１のビームに割り当てることと、
(a6)  前記第１のＣＱＩに少なくとも部分的に基づいて前記第１のユーザデバイスをスケジュールすること、
(a7)  前記第１のユーザデバイスをスケジュールすることは、前記第１のユーザデバイスをスケジュールするために、日和見ビーム形成スケジューリング技術、マルチプル入力マルチプル出力（ＭＩＭＯ）及び空間分割多重化（ＳＤＭ）を含む複数のスケジューリング技術から選択される、
(a8)  第２のパイロットを生成することと、
(a9)  前記第２のパイロットを送信することと、
(a10)  前記第２のパイロットに少なくとも部分的に基づいて第２のチャンネル品質インジケータ（ＣＱＩ）を受信することと、
（ａ11）  前記第２のＣＱＩに基づいて、第２のユーザデバイスを第２のビームに割り当てることと、
(a12)  前記第１のユーザデバイスのためにスケジュールされるものとは異なるスケジューリング技術で前記第２のＣＱＩに少なくとも部分的に基づいて前記第２のユーザデバイスをスケジュールすること
を備える方法。
【請求項２】
前記第１のＣＱＩまたは前記第２のＣＱＩのうちの１つとして信号対干渉対雑音比（ＳＩＮＲ）を使用することをさらに備える、請求項１に記載の方法。
【請求項３】
前記第１のＣＱＩまたは前記第２のＣＱＩのうちの少なくとも１つとして前記チャンネル上でサポート可能なレートを使用することをさらに備える、請求項１に記載の方法。
【請求項４】
前記第１のＣＱＩまたは前記第２のＣＱＩのうちの少なくとも１つは、フレーム毎に受信される、請求項１に記載の方法。
【請求項５】
制御チャンネルＣＱＩを受信することをさらに備える、請求項１に記載の方法。
【請求項６】
前記第１のパイロットはアンテナで送信される、請求項５に記載の方法。
【請求項７】
前記第１のＣＱＩまたは前記第２のＣＱＩのうちの少なくとも１つに少なくとも部分的に基づいてビームを修正することをさらに備える、請求項１に記載の方法。
【請求項８】
(a1)  ビーム形成送信を使用して無線通信装置であって、
(a2)  第１のパイロットを生成し、
(a3)  前記第１のパイロットを送信し、
(a4)  前記第１のパイロットに少なくとも部分的に基づいて第１のチャンネル品質インジケータ（ＣＱＩ）を受信し、
（ａ5）  前記第１のＣＱＩに基づいて、第１のユーザデバイスを第１のビームに割り当て、
(a6)  前記第１のＣＱＩに少なくとも部分的に基づいて前記第１のユーザデバイスをスケジュールし、
(a7)  ここにおいて、前記第１のユーザデバイスをスケジュールすることは、前記第１のユーザデバイスをスケジュールするために、日和見ビーム形成スケジューリング技術、マルチプル入力マルチプル出力（ＭＩＭＯ）及び空間分割多重化（ＳＤＭ）を含む複数のスケジューリング技術から選択される、
(a8)  第２のパイロットを生成し、
(a9)  前記第２のパイロットを送信し、
(a10)  前記第２のパイロットに少なくとも部分的に基づいて第２のチャンネル品質インジケータ（ＣＱＩ）を受信し、
（ａ11）  前記第２のＣＱＩに基づいて、第２のユーザデバイスを第２のビームに割り当て、
(a12)  前記第１のユーザデバイスのためにスケジュールされるものとは異なるスケジューリング技術で前記第２のＣＱＩに少なくとも部分的に基づいて前記第２のユーザデバイスをスケジュールする、
ように構成されたプロセッサと、
(a13)  前記プロセッサと結合されたメモリと、
を備える無線装置。
【請求項９】
前記第１のＣＱＩまたは前記第２のＣＱＩのうちの少なくとも１つは、信号対干渉対雑音比（ＳＩＮＲ）または前記チャンネル上でサポート可能なレートのうちの少なくとも１つである、請求項８に記載の無線装置。
【請求項１０】
前記プロセッサは、前記第１のＣＱＩまたは前記第２のＣＱＩのうちの少なくとも１つをフレーム毎に受信する、請求項８に記載の無線装置。
【請求項１１】
前記プロセッサは、制御チャンネルＣＱＩを受信する、請求項８に記載の無線装置。
【請求項１２】
前記プロセッサは、アンテナを通じて前記第１のパイロットを送信する、請求項１１に記載の無線装置。
【請求項１３】
(a1)  ビーム形成送信を使用して無線通信環境の性能を向上させる無線通信装置であって、
(a2)  第１のパイロットを生成するための手段と、
(a3)  前記第１のパイロットを送信するための手段と、
(a4)  前記第１のパイロットに少なくとも部分的に基づいて第１のチャンネル品質インジケータ（ＣＱＩ）を受信するための手段と、
（ａ5）前記第１のＣＱＩに基づいて、第１のユーザデバイスを第１のビームに割り当てるための手段と、
(a6)  前記第１のＣＱＩに少なくとも部分的に基づいて前記第１のユーザデバイスをスケジュールするための手段と、
(a7)  ここにおいて、前記第１のユーザデバイスをスケジュールすることは、前記第１のユーザデバイスをスケジュールするために、日和見ビーム形成スケジューリング技術、マルチプル入力マルチプル出力（ＭＩＭＯ）及び空間分割多重化（ＳＤＭ）を含む複数のスケジューリング技術から選択される、
(a8)  第２のパイロットを生成するための手段と、
(a9)  前記第２のパイロットを送信するための手段と、
(a10)  前記第２のパイロットに少なくとも部分的に基づいて第２のチャンネル品質インジケータ（ＣＱＩ）を受信するための手段と、
（ａ11）  前記第２のＣＱＩに基づいて、第２のユーザデバイスを第２のビームに割り当てるための手段と、
(a12)  前記第１のユーザデバイスのためにスケジュールされるものとは異なるスケジューリング技術で前記第２のＣＱＩに少なくとも部分的に基づいて前記第２のユーザデバイスをスケジュールするための手段と、
を備える装置。
【請求項１４】
制御チャンネルＣＱＩを受信するための手段をさらに備える、請求項１３に記載の装置。
【請求項１５】
前記第１のＣＱＩまたは前記第２のＣＱＩのうちの少なくとも１つに少なくとも部分的に基づいてビームを修正するための手段をさらに備える、請求項１３に記載の装置。
【請求項１６】
(a1)  ビーム形成送信を使用して無線通信環境の性能を向上させるためのコンピュータ実行可能命令を格納したコンピュータ読み取り可能な記憶媒体であって、前記命令は、
(a2)  第１のパイロットを生成することと、
(a3)  前記第１のパイロットを送信することと、
(a4)  前記第１のパイロットに少なくとも部分的に基づいて第１のチャンネル品質インジケータ（ＣＱＩ）を受信することと、
（ａ5）  前記第１のＣＱＩに基づいて、第１のユーザデバイスを第１のビームに割り当てることと、
(a6)  前記第１のＣＱＩに少なくとも部分的に基づいて前記第１のユーザデバイスをスケジュールすること、
(a7)  ここにおいて、前記第１のユーザデバイスをスケジュールすることは、前記第１のユーザデバイスをスケジュールするために、日和見ビーム形成スケジューリング技術、マルチプル入力マルチプル出力（ＭＩＭＯ）及び空間分割多重化（ＳＤＭ）を含む複数のスケジューリング技術から選択される、  (a8)  第２のパイロットを生成することと、
(a9)  前記第２のパイロットを送信することと、
(a10)  前記第２のパイロットに少なくとも部分的に基づいて第２のチャンネル品質インジケータ（ＣＱＩ）を受信することと、
（ａ11）  前記第２のＣＱＩに基づいて、第２のユーザデバイスを第２のビームに割り当てることと、
(a12)  前記第１のユーザデバイスのためにスケジュールされるものとは異なるスケジューリング技術で前記第２のＣＱＩに少なくとも部分的に基づいて前記第２のユーザデバイスをスケジュールすること、
を備える、コンピュータ読み取り可能な記憶媒体。
【請求項１７】
(a1)  ビーム形成送信を使用して無線通信環境の性能を向上させるための命令を実行するプロセッサであって、前記命令は、
(a2)  第１のパイロットを生成することと、
(a3)  前記第１のパイロットを送信することと、
(a4)  前記第１のパイロットに少なくとも部分的に基づいて第１のチャンネル品質インジケータ（ＣＱＩ）を受信することと、
（ａ5）  前記第１のＣＱＩに基づいて、第１のユーザデバイスを第１のビームに割り当てることと、
(a6)  前記第１のＣＱＩに少なくとも部分的に基づいて前記第１のユーザデバイスをスケジュールすること、
(a7)  ここにおいて、前記第１のユーザデバイスをスケジュールすることは、前記第１のユーザデバイスをスケジュールするために、日和見ビーム形成スケジューリング技術、マルチプル入力マルチプル出力（ＭＩＭＯ）及び空間分割多重化（ＳＤＭ）を含む複数のスケジューリング技術から選択される、
(a8)  第２のパイロットを生成することと、
(a9)  前記第２のパイロットを送信することと、
(a10)  前記第２のパイロットに少なくとも部分的に基づいて第２のチャンネル品質インジケータ（ＣＱＩ）を受信することと、
（ａ11）  前記第２のＣＱＩに基づいて、第２のユーザデバイスを第２のビームに割り当てることと、
(a12)  前記第１のユーザデバイスのためにスケジュールされるものとは異なるスケジューリング技術で前記第２のＣＱＩに少なくとも部分的に基づいて前記第２のユーザデバイスをスケジュールすることと、
を備える、プロセッサ。
【請求項１８】
(a1)  無線ネットワークによる、ビーム形成送信を使用して通信を容易にするモバイルデバイスであって、
(a2)  第１のパイロットを生成するコンポーネントと、
(a3)  前記第１のパイロットを送信するコンポーネントと、
(a4)  前記第１のパイロットに少なくとも部分的に基づいて第１のチャンネル品質インジケータイン（ＣＱＩ）を受信するコンポーネントと、
（ａ5）  前記第１のＣＱＩに基づいて、第１のユーザデバイスを第１のビームに割り当てるコンポーネントと、
(a6)  前記第１のＣＱＩに少なくとも部分的に基づいて前記第１のユーザデバイスをスケジュールするコンポーネントと、
(a7)  ここにおいて、前記第１のユーザデバイスをスケジュールすることは、前記第１のユーザデバイスをスケジュールするために、日和見ビーム形成スケジューリング技術、マルチプル入力マルチプル出力（ＭＩＭＯ）及び空間分割多重化（ＳＤＭ）を含む複数のスケジューリング技術から選択される、
(a8)  第２のパイロットを生成するコンポーネントと、
(a9)  前記第２のパイロットを送信するコンポーネントと、
(a10)  前記第２のパイロットに少なくとも部分的に基づいて第２のチャンネル品質インジケータ（ＣＱＩ）を受信するコンポーネントと、
（ａ11）  前記第２のＣＱＩに基づいて、第２のユーザデバイスを第２のビームに割り当てるコンポーネントと、
(a12)  前記第１のユーザデバイスのためにスケジュールされるものとは異なるスケジューリング技術で前記第２のＣＱＩに少なくとも部分的に基づいて前記第２のユーザデバイスをスケジュールするコンポーネントと、
を備えるモバイルデバイス。
【請求項１９】
前記デバイスは、セルラー電話、スマートフォン、ハンドヘルド通信デバイス、ハンドヘルド演算デバイス、衛星無線機、全世界測位システム、ラップトップ、またはＰＤＡのうちの少なくとも１つである、請求項１８に記載のモバイルデバイス。